(57)【要約】【課題】ジョブで要求された用途に使用されない用紙を画像調整に有効に利用することが可能な画像形成装置を提供する。【解決手段】制御部が、ジョブに含まれる原稿データの画像が形成される用紙かどうかを判定する制御と、用紙がジョブに含まれる原稿データの画像を形成する以外の別用途に用いられる場合に、画像形成部に対して用紙上に調整用画像を形成させる制御と、読取り部で調整用画像を読み取らせ、調整用画像の読取データに基づいて画像形成部を調整する制御とを行う画像形成装置を構成する。【選択図】図２
2020187220.tif 000002
【特許請求の範囲】
【請求項１】
用紙に、ジョブに含まれる原稿データの画像を形成する画像形成部と、
前記用紙に形成された画像を読み取る読取り部と、
制御部と、を備え、
前記制御部は、
前記用紙が、前記原稿データの画像が形成される用紙かどうかを判定する制御と、
前記用紙が、前記原稿データの画像を形成する以外の別用途に用いられる場合に、前記画像形成部に対して前記用紙上に調整用画像を形成させる制御と、
前記読取り部で前記調整用画像を読み取らせ、前記調整用画像の読取データに基づいて前記画像形成部を調整する制御と、を行う
画像形成装置。
【請求項２】
前記別用途に用いられる前記用紙は、前記原稿データの画像が形成される前記用紙の下敷きにされる用紙である
請求項１に記載の画像形成装置。
【請求項３】
前記別用途に用いられる前記用紙は、前記原稿データの画像が形成される前記用紙を所定単位で区切るための用紙である
請求項１に記載の画像形成装置。
【請求項４】
前記別用途に用いられる前記用紙が、タブ混在ジョブで用いられずに給紙トレイに残存したタブ紙である
請求項１に記載の画像形成装置。
【請求項５】
用紙にジョブに含まれる原稿データの画像を形成する画像形成部と、前記用紙に形成された画像を読み取る読取り部と、制御部とを備える画像形成装置の制御方法であって、
前記用紙が、前記原稿データの画像が形成される用紙かどうかを判定する制御と、
前記用紙が、前記原稿データの画像を形成する以外の別用途に用いられる場合に、前記画像形成部に対して前記用紙上に調整用画像を形成させる制御と、
前記読取り部で前記調整用画像を読み取らせ、前記調整用画像の読取データに基づいて前記画像形成部を調整する制御と、を行う
画像形成装置の制御方法。
【請求項６】
用紙を、ユーザーに指示されたジョブに含まれる原稿データの画像が形成される用紙かどうかを判定する手順と、
前記用紙が、前記原稿データの画像を形成する以外の別用途に用いられる場合に、前記用紙上に調整用画像を形成する手順と、
前記調整用画像を読み取り、前記調整用画像の読取データに基づいて画像形成部を調整する手順と、をコンピューターに実行させるための
プログラム。
【発明の詳細な説明】
【技術分野】
【０００１】
本発明は、画像形成装置、画像形成装置の制御方法、及び、プログラムに係わる。
【背景技術】
【０００２】
画像形成装置で扱われる用紙としては、ユーザーが使用せず廃棄前提の用紙が存在する。一般的に、通常の用紙は、ユーザーが画像形成装置に対して指示したジョブにおいて、ジョブの成果物としてユーザーに提供される。一方、一部の用紙は、ユーザーに指示されたジョブの用途には使用されず、成果物としてはユーザーに提供されない場合がある。
【０００３】
このような、ユーザーが指示したジョブにおいて、要求された用途に使用されない用紙としては、例えば、画像形成装置の異常検知時の残留紙、スタッカーで用紙に凹凸形状を防ぐための防痕用用紙、大量印刷の際に挿入される区切りページ、及び、余剰タブ紙等が挙げられる。
【０００４】
これらのジョブで要求された用途に使用されない用紙は、利用されずに破棄されるため、コスト面や環境面での課題となっている。このため、ジョブで要求された用途に使用されない用紙を、別用途で有効に利用することが提案されている。例えば、画像形成装置の異常検知時の残留紙を有効に利用することを可能にする画像形成装置が提案されている（例えば、特許文献１参照）。この画像形成装置では、画像の情報に基づいて画像が正常かを判定し、画像異常があると判定した場合、搬送状態で機内に残留する残留紙を用紙搬送部によって搬送する。これとともに残留紙の少なくとも一部を対象にして画像未形成領域に画像パターンを形成する。そして、残留紙上の画像を画像検出部で検出して画像の情報を取得し、画像の情報に基づいて、画像が正常かを判定する。
【先行技術文献】
【特許文献】
【０００５】
【特許文献１】特開２０１４−１１９６６８号公報
【発明の概要】
【発明が解決しようとする課題】
【０００６】
上記の特許文献１に記載の画像形成装置では、ユーザーに指示されたジョブにおいてジョブに含まれる原稿データの画像が形成される用紙が、画質異常検知時に残留紙となった場合に、画像形成装置の画像調整に有効利用できることが記載されている。しかしながら、上記の特許文献１に記載の画像形成装置では、残留紙以外のジョブで要求された用途に使用されない用紙を有効利用することは記載されていない。
【０００７】
上述した問題の解決のため、本発明においては、ジョブで要求された用途に使用されない用紙を画像調整に有効に利用することが可能な画像形成装置、画像形成装置の制御方法、及び、プログラムを提供する。
【課題を解決するための手段】
【０００８】
本発明の画像形成装置は、用紙に、ジョブに含まれる原稿データの画像を形成する画像形成部と、用紙に形成された画像を読み取る読取り部と、制御部とを備える。そして、制御部は、用紙が、原稿データの画像が形成される用紙かどうかを判定する制御と、用紙が、原稿データの画像を形成する以外の別用途に用いられる場合に、画像形成部に対して用紙上に調整用画像を形成させる制御と、読取り部で調整用画像を読み取らせ、調整用画像の読取データに基づいて画像形成部を調整する制御とを行う。
【０００９】
また、本発明の画像形成装置の制御方法は、用紙にジョブに含まれる原稿データの画像を形成する画像形成部と、用紙に形成された画像を読み取る読取り部と、制御部とを備える画像形成装置の制御方法である。そして、用紙が、原稿データの画像が形成される用紙かどうかを判定する制御と、用紙が、原稿データの画像を形成する以外の別用途に用いられる場合に、画像形成部に対して用紙上に調整用画像を形成させる制御と、読取り部で調整用画像を読み取らせ、調整用画像の読取データに基づいて画像形成部を調整する制御とを行う。
【００１０】
また、本発明のプログラムは、用紙を、ユーザーに指示されたジョブに含まれる原稿データの画像が形成される用紙かどうかを判定する手順と、用紙が、原稿データの画像を形成する以外の別用途に用いられる場合に、用紙上に調整用画像を形成する手順と、調整用画像を読み取り、調整用画像の読取データに基づいて画像形成部を調整する手順と、をコンピューターに実行させる。
【発明の効果】
【００１１】
本発明によれば、ジョブで要求された用途に使用されない用紙を画像調整に有効に利用することが可能な画像形成装置、画像形成装置の制御方法、及び、プログラムを提供することができる。
【図面の簡単な説明】
【００１２】
【図１】画像形成システムの構成を示す図である。
【図２】画像形成装置の内部構成例を示すブロック図である。
【図３】制御部の内部構成例を示すブロック図である。
【図４】別用途用紙を用いて画像形成装置の調整を行なうフローチャートである。
【図５】別用途用紙を用いた調整項目の設定画面の例を示す図である。
【図６】別用途用紙を用いた調整項目の設定画面の例を示す図である。
【発明を実施するための形態】
【００１３】
以下、本発明を実施するための形態の例を説明するが、本発明は以下の例に限定されるものではない。
【００１４】
［画像形成システムの構成］
図１に、本実施の形態の画像形成装置を含む画像形成システムの構成を示す。
図１に示す画像形成システムは、印刷ジョブを送信可能なクライアント端末４００ａ，４００ｂ、画像形成装置１００、及び、ネットワークサーバ２００を有する。クライアント端末４００ａ，４００ｂ、画像形成装置１００、及び、ネットワークサーバ２００は、ネットワーク３００を介して相互に通信可能に接続されている。
【００１５】
本実施形態の画像形成システムは、印刷ジョブをラスタデータに変換し、作像プロセスを用いて用紙上に画像を印刷し、印刷した画像をインライン測色する画像形成装置１００を有する。画像形成装置１００は、画像を形成する機能を有していればよく、例えば、複合機（ＭＦＰ：Multi-Functional Peripheral）であってもよい。
【００１６】
ネットワーク３００は、イーサネット（登録商標）、トークンリング、ＦＤＤＩ等の規格によりコンピューターやネットワーク機器同士を接続したＬＡＮ（ＬＡＮ：Local Area Network）や、ＬＡＮ同士を専用線で接続したＷＡＮ（Wide Area Network）、インターネット、これらの組み合わせ等の各種のネットワークからなる。なお、ネットワーク３００に接続される機器の種類および台数は、図１に示す例に限定されない。
【００１７】
クライアント端末４００ａ，４００ｂでは、内蔵するプロセッサがプログラムに従って、上記各部の制御や各種の演算処理を実行する。例えば、クライアント端末４００ａ，４００ｂは、文書データ作成、文書データ等をページ記述言語に変換する処理、印刷ジョブ生成、印刷ジョブ送信等を実行する。また、クライアント端末４００ａ，４００ｂには、作成された原稿データについて印刷設定等するためのプリンタードライバーがインストールされている。ユーザーは、プリンタードライバーを介して画像形成処理するための原稿データを選択したり、当該原稿データについて印刷設定（後処理の設定を含む）を指定したりできる。選択された原稿データは、ユーザーにより指定された印刷設定と共に、画像形成装置１００が解釈可能なページ記述言語（ＰＤＬ：Page Description Language）で記述されたＰＤＬデータに変換される。印刷指示毎に変換および生成されるＰＤＬデータが、印刷ジョブとなる。なお、ＰＤＬの例としては、例えばＰＳ（PostScript（登録商標））、ＸＰＳ（XML Paper Specification）等がある。
【００１８】
［画像形成装置の内部構成］
次に、画像形成装置１００の内部構成例を示すブロック図を図２に示す。
図２に示すように画像形成装置１００は、制御部１１０、ネットワーク制御部１２０、操作表示部１３０、用紙搬送部１４０、画像形成部１５０、画像検出部１６０、後処理部１７０を含む。これらは、内部バスを介して相互に通信可能に接続されている。
【００１９】
制御部１１０は、画像形成装置１００の各部を制御する。制御部１１０は、図３に示すＣＰＵ１１１が、ＲＯＭ１１２に格納されたプログラムに従って、画像形成装置の各部の制御や各種の演算処理を行う。例えば、ＣＰＵ１１１は、印刷ジョブに含まれる原稿データをラスタデータに変換するＲＩＰ処理（ラスタライズ処理）を実行する。画像形成装置１００の各機能は、対応するプログラムをＣＰＵ１１１が実行することによって発揮される。ＣＰＵ１１１は複数の処理を同時に実行できるように、マルチコアに構成されてもよい。
【００２０】
ネットワーク制御部１２０は、画像形成部１５０等と通信するための画像形成装置１００内のブロック間のインターフェースである。
【００２１】
操作表示部１３０は、液晶表示装置（ＬＣＤ:liquid crystal display）や有機ＥＬＤ（Electro Luminescence Display）等のディスプレイ（表示部）、テンキー、スタートボタン、ストップボタン、及び、ディスプレイに重ねて配置されたタッチパネル等（以上、操作部の例）を備える。操作表示部１３０は、ユーザーによる各種設定の入力及び各種情報の表示に使用される。
【００２２】
用紙搬送部１４０は、給紙トレイから供給される用紙の画像形成部１５０への搬送、画像形成部１５０により画像形成済みの用紙の後処理部１７０への搬送、及び、後処理部１７０から搬送される用紙の排出を行う。なお、画像形成装置１００は、複数の給紙トレイを備えていてもよい。
【００２３】
画像形成部１５０は、帯電、露光、現像、転写及び定着の各工程を含む電子写真式プロセス等の周知の画像形成プロセスを用いて、用紙上に画像を形成する。画像形成部１５０は、ネットワーク制御部１２０を介して受信された原稿データや、画像形成装置１００間の通信インターフェース１１４を介して制御部１１０から受信された原稿データに基づいて画像を形成する。
【００２４】
画像検出部１６０は、搬送された用紙上に形成された画像を検出し、インライン測定を実施する。例えば、読取り画像データに対し、光の波長ごとに計測可能なスペクトル方式（分光光度計）の測色を行い、測色値（Ｌ＊ａ＊ｂ＊値、ＸＹＺ値など）を出力する。画像検出部１６０を、画像形成装置１００を調整するための画像読取り部１８０として利用してもよい。
【００２５】
後処理部１７０は、画像形成部１５０で画像形成された用紙に対し、印刷ジョブに含まれる印刷設定に基づいて後処理を実行する。後処理部１７０によって実行される後処理には、例えば、用紙の束をステープルで綴じるステープル処理、用紙の端部にファイリング用の穴をあけるパンチ穴あけ処理、用紙を束ねて本の形に成形するくるみ製本処理、用紙を折る折り加工処理、及び、用紙の端部を切断するトリマ処理等が挙げられる。
【００２６】
画像読取り部１８０は、画像形成部１５０の用紙搬送方向の下流側に配置されている。画像読取り部１８０は、例えば、複数の検出素子が用紙搬送方向と直交する方向（幅方向）に沿って並べられたインラインセンサで構成され、画像形成部１５０で用紙に形成された画像を読み取る。
【００２７】
［制御部の内部構成］
図３は、制御部１１０の内部構成を示すブロック図である。制御部１１０は、ＣＰＵ１１１、ＲＯＭ１１２、ＲＡＭ１１３、不揮発性ストレージ１１５、通信インターフェース１１４によって構成される。制御部１１０は、画像形成装置１００内の各部の動作を制御するコンピューターの一例として用いられる。
【００２８】
ＣＰＵ１１１は、例えば操作表示部１３０を通じて行われるユーザーの入力操作に応じて、制御処理及び演算処理を行なう。ＣＰＵ１１１は、本実施形態に係る各機能を実現するソフトウェアのプログラムコードをＲＯＭ１１２（記録材の一例）から読み出して実行する。なお、ＣＰＵ１１１に代えて、ＭＰＵ（Micro Processing Unit）等の他の演算装置を用いてもよい。
ＲＯＭ１１２は、不揮発性メモリの一例として用いられ、ＣＰＵ１１１が動作するために必要なプログラムやデータ等を記憶している。
ＲＡＭ１１３は、揮発性メモリの一例として用いられ、ＣＰＵ１１１が行う各処理に必要な情報（データ）を一時的に記憶するワークエリアとして機能する。
【００２９】
不揮発性ストレージ１１５は、記録材の一例であり、ＣＰＵ１１１が各部を制御するためのプログラム、ＯＳ等のプログラム、及びデータを記憶する。例えば不揮発性ストレージ１１５は、記録部には、原稿データについてのオブジェクトの種類、数、解像度、データ容量、フォントタイプのほか、ＲＩＰ後のデータ容量等が記録される。
不揮発性ストレージ１１５としては、例えば、ＨＤＤ、ＳＳＤ（Solid State Drive）、光ディスク、光磁気ディスク、ＣＤ−ＲＯＭ、ＣＤ−Ｒ、磁気テープ、不揮発性のメモリカード等が用いられる。
【００３０】
通信インターフェース１１４は、例えばＮＩＣ（Network Interface Card）やモデム等で構成され、ＬＡＮ等のネットワークＮを介して通信相手の装置との接続を確立し、各種データの送受信を実行する。また、通信インターフェース１１４は、ネットワーク３００上の外部機器と通信するためのインターフェースであり、クライアント端末４００ａ，４００ｂから印刷ジョブを受信する受信部や、ネットワークサーバ２００からサーバ内の各種データを受信する受信部を備える。ネットワーク制御部１２０は、イーサネット（登録商標）、トークンリング、ＦＤＤＩ（Fiber-Distributed Data Interface）等の規格によるネットワークインターフェース、ＵＳＢ、ＩＥＥＥ１３９４等のシリアルインターフェース、ＳＣＳＩ、ＩＥＥＥ１２８４等のパラレルインターフェース、ＢＬＵＥＴＯＯＴＨ（登録商標）、ＩＥＥＥ８０２．１１、ＨｏｍｅＲＦ、ＩｒＤＡ等の無線通信インターフェース等を利用できる。
【００３１】
なお、図１に示す画像形成システムにおいても、端末４００ａ，４００ｂが、上述した制御部１１０、ネットワーク制御部１２０、操作部、表示部の機能を備えている。
【００３２】
［画像形成のフローチャート］
図４のフローチャートを用いて、本実施例における画像形成装置１００の調整を行なう手順を説明する。
【００３３】
制御部１１０は、ユーザーが端末４００ａ，４００ｂを介して画像形成装置１００に対して指示したジョブにおいて、ジョブに含まれる原稿データの画像が形成され、ジョブの成果物としてユーザーに提供される用紙（成果物用紙）の他に、ユーザーに指示されたジョブに含まれる原稿データの画像が形成されず、成果物としてはユーザーに提供されない別用途の用紙（別用途用紙）が存在するかどうかを判定する（ステップＳ１）。
【００３４】
ジョブにおいて別用途用紙が存在する場合（ステップＳ１のＹＥＳ）、制御部１１０は、別用途用紙を用いて画像形成装置１００の補正を行なうかどうかを、予め登録された調整項目ごとの条件設定に従って判定する（ステップＳ２）。補正を行なう場合（ステップＳ２のＹＥＳ）、制御部１１０は、予め登録された優先順位に従って画像形成装置１００で行なう調整項目を設定する（ステップＳ３）。
【００３５】
（調整項目の設定例）
以下、ステップＳ２及びステップＳ３で行なわれる別用途用紙を用いる画像形成装置１００の調整項目の設定例について説明する。図５及び図６に、別用途用紙を用いた調整項目の設定画面の例を示す。
【００３６】
図５に示すように、別用途用紙を用いて画像形成装置１００の調整を行なう設定では、別用途用紙の選択（編集する別用途の選択）を行なう。図５では、別用途用紙として、「防痕用用紙」、「区切りページ」、及び、「不要タブ紙」を示している。また、図５では、編集する別用途の用紙として、「区切りページ」が選択された状態を示している。
【００３７】
なお、「防痕用用紙」、「区切りページ」、及び、「不要タブ紙」とは以下の用途に用いられる用紙である。
防痕用用紙：排紙を続ける第１のトレイと、積載された用紙を取り出す第２のトレイとを備え、画像形成後の用紙を大量に積載可能な大容量スタッカーにおいて、第２のトレイの最下部が凸凹形状となっているものがある。この第２のトレイに薄紙を大量に積載したまま長時間放置すると凸凹部のエッジが原因で用紙に痕がついてしまう。これを防止する目的で排紙前提の用紙を第２のトレイに排紙して下敷きにする防痕用用紙モードを持つ画像形成装置において、下敷きにする防痕用の用紙を別用途で使用するか否かを設定し、別用途で使用する場合の用途と優先順位を設定する。
区切りページ：画像形成装置において、出力紙の所定単位の区切りを明確にする目的、例えば、複数部からなるジョブをスタックする場合にジョブの区切りを明確にするために白紙を挿入し境界を明確にするケースがある。区切りとして挿入される白紙を別用途で使用するか否かを設定し、別用途で使用する場合の用途と優先順位を設定する。
不要タブ紙：タブ紙の挿入情報に基づいて画像形成した用紙の間に区切り用のタブ紙を挿入する画像形成装置において、タブ紙のストックよりも区切り数が少ない場合に、不要となるタブ紙を排紙（例えば５つで１セットのタブ紙のうち３つを区切りとして使用した場合、残りの２つを排紙）するケースがある。排紙されるタブ紙を別用途で使用するか否かを設定し、別用途で使用する場合の用途と優先順位を設定する。
【００３８】
また、図５に示す調整項目の設定例では、選択された別用途用紙に対して、別用途で使用するかどうかの設定と、調整項目と各調整項目の実行条件の設定を行なう。図５では、別用途で使用するかどうかの設定の項目にチェックが入っているため、別用途で使用する設定になっている。また、図５では、調整項目の例として、「表裏位置ズレ」、「色ズレ補正」、「濃度ムラ補正」、「濃度階調補正」、「面内ムラ調整」、及び、「特色補正」が表示されている。
【００３９】
別用途用紙を用いた各調整項目の実行条件では、該当する調整を自動で実施するかどうかの設定として、自動調整をする場合は「ＯＮ」、自動調整を行なわない場合は「ＯＦＦ」と例示している。さらに、自動調整を行なう調整項目に対しては、自動調整を行なう条件を設定する。図５では、自動調整を行なう条件として、「調整後印字」、「調整後××経過」が表示されている。「調整後印字」の条件では、所定枚数（図５では「×××枚」等と表示）を印字後に、別用途用紙を用いた調整用画像の形成と、この調整用画像を用いた各項目の自動調整が行なわれる。「調整後××経過」の条件では、前回の調整からの所定の時間（図５では「＊ｄａｙ」、「＃ｈ」等と表示）の経過後に、別用途用紙を用いた調整用画像の形成と、この調整用画像を用いた各項目の自動調整が行なわれる。
【００４０】
調整項目の優先順は、上記の自動調整を行なう条件を基にした各調整項目に対する実行判定の優先順位を示す。図５では画面上部側に表示されている項目を優先して順次実行判定が行なわれ、優先順位が上位の項目を実行しない場合に下位の項目の実行判定が行われる。
【００４１】
図６に示す画面では、別用途用紙の選択（編集する別用途の選択）として、「不要タブ紙」が選択された状態を示している。図６に示す画面では、別用途で使用するかどうかの設定の項目にチェックが入っていないため、「不要タブ紙」については別用途用紙を用いた画像形成装置１００の調整を行なわないように条件が設定されている。このため、調整項目と各調整項目の実行条件の設定が操作不可能なようにグレーアウト表示されている。
【００４２】
図４に示すフローチャートの説明に戻る。
制御部１１０は、別用途用紙を用いた調整項目を設定した後、設定された調整項目に合わせた補正用の調整用画像を、画像形成部１５０において別用途用紙に形成する制御を行なう（ステップＳ４）。次に、画像読取り部１８０において別用途用紙に形成された調整用画像を読み取り、制御部１１０が調整用画像の読取データを取得する（ステップＳ５）。
【００４３】
次に、制御部１１０は、取得した調整用画像の読取データから、画像形成装置１００において設定した調整項目の補正が必要かどうかを判定する（ステップＳ６）。制御部１１０は、例えば画質が基準を満たしていないため補正が必要と判断した場合（ステップＳ６のＹｅｓ）、調整用画像の読取データに基づいて画像形成装置１００の画像形成部１５０の画像形成条件を補正する（ステップＳ７）。
【００４４】
画像形成装置１００の画像形成条件を補正した後、画像形成装置１００は、ジョブの成果物としてユーザーに提供される用紙（成果物用紙）を排紙する（ステップＳ８）。また、補正が不要と判断した場合（ステップＳ６のＮｏ）、制御部１１０は画像形成装置１００の画像形成条件の補正を行わずに、原稿データに基づく画像形成等のジョブで指示された処理を行い、ジョブの成果物としてユーザーに提供される用紙（成果物用紙）を排紙する（ステップＳ８）。さらに、ジョブにおいて別用途用紙が存在しない場合（ステップＳ１のＮＯ）、画像形成装置１００の画像形成条件の補正を行なわない場合（ステップＳ２のＮＯ）、画像形成装置１００の画像形成部１５０は、原稿データに基づく画像形成等のジョブで指示された処理を行い、ジョブの成果物としてユーザーに提供される用紙（成果物用紙）を排紙する（ステップＳ８）。
制御部１１０が用紙搬送部１４０を駆動して、補正用画像を印字した別用途用紙を画像形成装置１００から排紙した後、本フローチャートによる処理を終了する。
【００４５】
以上の方法によれば、ユーザーに指示されたブジョブに含まれる原稿データの画像形成に用いられず、成果物としてはユーザーに提供されない別用途の用紙（別用途用紙）を、画像形成装置１００の画像調整に有効に利用することが可能となる。このため、従来廃棄された用紙を有効活用することができ、また、画像形成装置１００の画像調整に通常の用紙を使用する必要がないため、コスト面や環境面において有効となる。 
【００４６】
なお、本発明は上述の実施形態例において説明した構成に限定されるものではなく、その他本発明の構成を逸脱しない範囲において種々の変形、変更が可能である。
【符号の説明】
【００４７】
１００  画像形成装置、１１０  制御部、１１１  ＣＰＵ、１１２  ＲＯＭ、１１３  ＲＡＭ、１１４  通信インターフェース、１１５  不揮発性ストレージ、１２０  ネットワーク制御部、１３０  操作表示部、１４０  用紙搬送部、１５０  画像形成部、１６０  画像検出部、１７０  後処理部、１８０  画像読取り部、２００  ネットワークサーバ、３００  ネットワーク、４００ａ，４００ｂ  クライアント端末
【図１】
2020187220.tif 000003
【図２】
2020187220.tif 000004
【図３】
2020187220.tif 000005
【図４】
2020187220.tif 000006
【図５】
2020187220.tif 000007
【図６】
2020187220.tif 000008